(57)【特許請求の範囲】
【請求項１】
第１の機器によって外部入力された映像信号から同期信号及び輝度信号を分離する映像信号処理手段と、
上記映像信号処理手段によって分離された輝度信号をデジタル信号に変換するＡ／Ｄ変換手段と、
上記Ａ／Ｄ変換手段によって変換されたデジタル信号を格納する記憶手段と、
上記記憶手段より読み出されたデジタル信号をアナログ信号に変換するＤ／Ａ変換手段と、
上記Ｄ／Ａ変換手段によってアナログ信号に変換された輝度信号を外部に出力する外部出力手段と、
上記記憶手段に、Ａ／Ｄ変換手段によってデジタル信号に変換された第１の機器からの輝度信号を、上記映像信号処理手段によって分離された同期信号に同期して格納させ、上記記憶手段に格納したデータの画面数が所定数以上になったとき待機状態に戻ると共に、上記記憶手段に格納された輝度信号を、第２の機器から外部入力された転送クロックに同期して読み出す制御手段とを含むことを特徴とする映像信号変換装置。
【請求項２】
上記外部入力転送クロックは、原稿から画像データを読み取るイメージセンサーを駆動する駆動クロックとする一方、
上記外部出力手段は、上記Ｄ／Ａ変換手段によって変換されたアナログ信号をイメージセンサーの出力信号として外部出力することを特徴とする請求項１記載の映像信号変換装置。
【請求項３】
上記制御手段は、上記記憶手段のデータ読み出し完了前において外部転送クロックが一時休止したとき、上記記憶手段によるデータ読み出しを一時的に休止することを特徴とする請求項１または２記載の映像信号変換装置。
【請求項４】
外部入力映像信号の取り込み指示を行う操作入力手段を設け、
上記制御手段は、上記操作入力手段によって取り込み指示が成されたとき、上記記憶手段によるデータ格納を、上記映像信号処理手段によって分離された同期信号に同期して行わせることを特徴とする請求項１〜３のいずれか１つに記載の映像信号変換装置。
【請求項５】
上記記憶手段より読み出されたデジタル信号に対して拡大処理を施す拡大処理手段を設けたことを特徴とする請求項１〜４のいずれか１つに記載の映像信号変換装置。
【請求項６】
上記Ａ／Ｄ変換手段によって変換されたデジタル信号をデータ圧縮するデータ圧縮手段と、
該データ圧縮手段によってデータ圧縮されたデジタル信号を基の信号にデータ伸長するデータ伸長手段とを設け、
上記記憶手段は、上記データ圧縮手段によってデータ圧縮されたデジタル信号を格納すると共に、読み出されたデジタル信号を上記データ伸長手段によってデータ伸長することを特徴とする請求項１〜５のいずれか１つに記載の映像信号変換装置。
【請求項７】
請求項２〜６のいずれか１つに記載の映像信号変換装置と、
上記イメージセンサーを駆動する駆動クロックを発生する駆動クロック発生手段と、
上記イメージセンサーによって読み取られた画像データを二値化処理する二値化処理手段とを設け、
上記駆動クロック発生手段は、発生した駆動クロックを転送クロックとして上記映像信号変換装置に出力する一方、
上記二値化処理手段は、上記映像信号変換装置から出力された出力信号を二値化処理することを特徴とするファクシミリ装置。
【請求項８】
上記イメージセンサーと上記映像信号変換装置とを選択的に接続可能とする接続部を有するファクシミリ本体を含むことを特徴とする請求項７記載のファクシミリ装置。
【発明の詳細な説明】
【０００１】
【発明の属する技術分野】
本発明は、映像信号を所定の画像データに変換する映像信号変換装置、及び映像信号変換装置によって変換された画像データに基づきファクシミリ送信及びコピー等を行うファクシミリ装置に関する。
【０００２】
【従来の技術】
従来より、テレビ又はビデオ等から得られる映像信号を画像データに変換し、ファクシミリ送信及びコピー等を行うファクシミリ装置としては、特開平５−３３６２９７号公報に示すようなものが提案されており、このようなファクシミリ装置は、入力されたビデオ信号より輝度信号を取り込み、その取り込んだ輝度信号を、カラーサブキャリアｆsc（３．５８ＭＨｚ）の４倍（１４．３２ＭＨｚ）の変換クロックによってＡ／Ｄ変換すると共に、そのデジタル信号を二値化処理してメモリに格納し、その後メモリに１枚のフィールド画像の格納が終了した後、メモリに格納されたフィールド画像に対してＭＨ符号化、ＭＲ符号化、ＭＲＲ符号化等の冗長度抑圧符号化を行うと共に、モデムによる変調処理を施すことにより、テレビ又はビデオ等から得られる映像信号をファクシミリ画像データとして電話回線を介して接続された相手側ファクシミリ装置に送出することができるよう構成されていた。
【０００３】
【発明が解決しようとする課題】
ところで、近年、画像処理の内容が高度化しており、誤差拡散法による疑似階調画像処理がファクシミリ装置に採用されている。ところが、上記従来装置では、図１４に示すように、原稿を読み取りファクシミリ信号に変換する原稿読取部（２１、２４）と、映像信号をファクシミリ信号に変換する画像処理部（４１、４２）とが独立しているため、それぞれの処理部に対して誤差拡散法による疑似階調画像処理を採用した場合、その回路規模が増大すると共に処理回路が複雑になり、コストが大幅に増大するといった問題点があった。
【０００４】
本発明は、回路規模の増大及び処理回路の複雑化を招くことなく、原稿読取部によって読み取られた画像データ及び入力映像信号に対する二値化処理を施すことができるようにする映像信号変換装置及びファクシミリ装置を提供することを目的とするものである。
【０００５】
【課題を解決するための手段】
上記目的を達成するために、本発明は、第１の機器によって外部入力された映像信号から同期信号及び輝度信号を分離する映像信号処理手段と、
上記映像信号処理手段によって分離された輝度信号をデジタル信号に変換するＡ／Ｄ変換手段と、
上記Ａ／Ｄ変換手段によって変換されたデジタル信号を格納する記憶手段と、
上記記憶手段より読み出されたデジタル信号をアナログ信号に変換するＤ／Ａ変換手段と、
上記Ｄ／Ａ変換手段によってアナログ信号に変換された輝度信号を外部に出力する外部出力手段と、
上記記憶手段に、Ａ／Ｄ変換手段によってデジタル信号に変換された第１の機器からの輝度信号を、上記映像信号処理手段によって分離された同期信号に同期して格納させ、上記記憶手段に格納したデータの画面数が所定数以上になったとき待機状態に戻ると共に、上記記憶手段に格納された輝度信号を、第２の機器から外部入力された転送クロックに同期して読み出す制御手段とを含むことを特徴とする映像信号変換装置である。
【０００６】
また本発明は、上記外部入力転送クロックは、原稿から画像データを読み取るイメージセンサーを駆動する駆動クロックとする一方、
上記外部出力手段は、上記Ｄ／Ａ変換手段によって変換されたアナログ信号をイメージセンサーの出力信号として外部出力することを特徴とする。
【０００７】
さらに本発明は、上記制御手段は、上記記憶手段のデータ読み出し完了前において外部入力転送クロックが一時休止したとき、上記記憶手段によるデータ読み出しを一時的に休止することを特徴とする。
【０００８】
さらに本発明は、外部入力映像信号の取り込み指示を行う操作入力手段を設け、
上記制御手段は、上記操作入力手段によって取り込み指示が成されたとき、上記記憶手段によるデータ格納を、上記映像信号処理手段によって分離された同期信号に同期して行わせることを特徴とする。
【０００９】
さらに本発明は、上記記憶手段より読み出されたデジタル信号に対して拡大処理を施す拡大処理手段を設けたことを特徴とする請求項１〜４のいずれか１つに記載の映像信号変換装置。
【００１０】
さらに本発明は、上記Ａ／Ｄ変換手段によって変換されたデジタル信号をデータ圧縮するデータ圧縮手段と、
該データ圧縮手段によってデータ圧縮されたデジタル信号を基の信号にデータ伸長するデータ伸長手段とを設け、
上記記憶手段は、上記データ圧縮手段によってデータ圧縮されたデジタル信号を格納すると共に、読み出されたデジタル信号を上記データ伸長手段によってデータ伸長することを特徴とする。
【００１１】
さらに本発明は、前記映像信号変換装置と、
上記イメージセンサーを駆動する駆動クロックを発生する駆動クロック発生手段と、
上記イメージセンサーによって読み取られた画像データを二値化処理する二値化処理手段とを設け、
上記駆動クロック発生手段は、発生した駆動クロックを転送クロックとして上記映像信号変換装置に出力する一方、
上記二値化処理手段は、上記映像信号変換装置から出力された出力信号を二値化処理することを特徴とするファクシミリ装置である。
【００１２】
さらに本発明は、ファクシミリ本体には、上記イメージセンサーと上記映像信号変換装置とを選択的に接続可能とする接続部を備えたことを特徴とする。
【００１３】
本発明に従えば、第１の機器から映像信号が外部入力されると、映像信号処理手段によってその外部入力映像信号から同期信号と輝度信号とが分割されると共に、その分割された輝度信号がＡ／Ｄ変換手段によってデジタル信号に変換され、制御手段が映像信号処理手段によって分割された同期信号に同期して、デジタル信号を、記憶手段の前記同期信号に同期して指示されるメモリアドレスの格納先に格納する。そして、第２の機器から転送クロックが外部入力されたとき、制御手段がその外部入力転送クロックに同期して記憶手段から、たとえば予め設定したメモリ読出開始アドレスに従ってデジタル信号を読み出すと共に、その読み出したデジタル信号をＤ／Ａ変換手段によってアナログ信号に変換した後、外部出力手段によって外部に出力することにより、前記第１の機器であるたとえばテレビ及びビデオ等から得られる映像信号を任意の画像データに変換することができると共に、その変換した画像データを、第２の機器の転送クロックに同期して出力することができる。また制御手段は、記憶手段に格納したデータの画面数が所定数以上になると待機状態に戻るのでデータを出力する際に、そのデータが一画面の途中で中断することが防がれる。
【００１４】
また本発明に従えば、第１の機器から映像信号が外部入力されると、映像信号処理手段によってその外部入力映像信号から同期信号と輝度信号とが分割されると共に、その分割された輝度信号がＡ／Ｄ変換手段によってデジタル信号に変換され、制御手段が映像信号処理手段によって分割された同期信号に同期してデジタル信号を記憶手段に格納する。そして、第２の機器であるイメージセンサーを駆動する駆動クロックが外部入力されたとき、制御手段がその外部入力された駆動クロックに同期して記憶手段よりデジタル信号を読み出すと共に、その読み出したデジタル信号をＤ／Ａ変換手段によってアナログ信号に変換した後、外部出力手段によって外部に出力することにより、前記第１の機器であるたとえばテレビ及びビデオ等から得られる映像信号を任意の画像データに変換することができ、又その変換した画像データの読み出しをイメージセンサーの駆動クロックに同期することにより、イメージセンサーの出力信号として画像データを出力することができる。
【００１５】
さらに本発明に従えば、第１の機器から映像信号が外部入力されると、映像信号処理手段によってその外部入力映像信号から同期信号と輝度信号とが分割されると共に、その分割された輝度信号がＡ／Ｄ変換手段によってデジタル信号に変換され、制御手段が映像信号処理手段によって分割された同期信号に同期してデジタル信号を記憶手段に格納する。そして、第２の機器から転送クロックが外部入力されたとき、制御手段がその外部入力転送クロックに同期して記憶手段よりデジタル信号を読み出すと共に、その読み出したデジタル信号をＤ／Ａ変換手段によってアナログ信号に変換した後、外部出力手段によって外部に出力し、又この画像データの外部出力状態において転送クロックの入力が一時休止したとき、制御手段が記憶手段よりのデジタル信号の読み出しを一時休止し、転送クロックの外部入力が再開したとき、再びその外部入力転送クロックに同期して記憶手段よりデジタル信号を読み出し、外部出力手段による画像データの外部出力を行うことにより、テレビ及びビデオ等から得られる映像信号を任意の画像データに変換することができ、又その変換した画像データの読み出しを第２の機器の転送クロックに同期して行うと共に、転送クロックの一時休止に応答して画像データの読み出しを一時休止することにより、転送クロックに完全同期して画像データを外部出力することができる。
【００１６】
さらに本発明に従えば、第１の機器から映像信号が外部入力されている状態において操作入力手段によって取り込み指示が成されると、映像信号処理手段によってその外部入力映像信号から同期信号と輝度信号とが分割されると共に、その分割された輝度信号がＡ／Ｄ変換手段によってデジタル信号に変換され、制御手段が映像信号処理手段によって分割された同期信号に同期してデジタル信号を記憶手段に格納する。そして、第２の機器から転送クロックが外部入力されたとき、制御手段がその外部入力転送クロックに同期して記憶手段よりデジタル信号を読み出すと共に、その読み出したデジタル信号をＤ／Ａ変換手段によってアナログ信号に変換した後、外部出力手段によって外部に出力することにより、第１の機器であるたとえばテレビ及びビデオ等から得られる任意設定する映像の映像信号を任意の画像データに変換することができると共に、その変換した画像データを第２の機器の転送クロックに同期して出力することができる。
【００１７】
さらに本発明に従えば、第１の機器から映像信号が外部入力されると、映像信号処理手段によってその外部入力映像信号から同期信号と輝度信号とが分割されると共に、その分割された輝度信号がＡ／Ｄ変換手段によってデジタル信号に変換され、制御手段が映像信号処理手段によって分割された同期信号に同期してデジタル信号を記憶手段に格納する。そして、第２の機器から転送クロックが外部入力されたとき、制御手段がその外部入力転送クロックに同期して記憶手段よりデジタル信号を読み出すと共に、その読み出したデジタル信号を拡大処理手段によって拡大処理した後、Ｄ／Ａ変換手段によってアナログ信号に変換し、そのアナログ信号を外部出力手段によって外部に出力することにより、第１の機器であるたとえばテレビ及びビデオ等から得られる映像信号を任意の画像データに変換することができると共に、その変換した画像データを第２の機器の転送クロックに同期して出力することができる。
【００１８】
さらに本発明に従えば、第１の機器から映像信号が外部入力されると、映像信号処理手段によってその外部入力映像信号から同期信号と輝度信号とが分割されると共に、その分割された輝度信号はＡ／Ｄ変換手段によってデジタル信号に変換された後、データ圧縮手段によってデータ圧縮され、制御手段が映像信号処理手段によって分割された同期信号に同期してデータ圧縮されたデジタル信号を、記憶手段の前記同期信号に同期して指示されるメモリアドレスの格納先に格納する。そして、第２の機器から転送クロックが外部入力されたとき、制御手段がその外部入力転送クロックに同期して記憶手段から、たとえば予め設定したメモリ読出開始アドレスに従ってデータ圧縮されたデジタル信号を読み出すと共に、その読み出したデジタル信号をデータ伸長手段によってデータ伸長した後、Ｄ／Ａ変換手段によってアナログ信号に変換し、そのアナログ信号を外部出力手段によって外部に出力することにより、第１の機器であるたとえばテレビ及びビデオ等から得られる映像信号を任意の画像データに変換することができると共に、その変換した画像データを第２の機器の転送クロックに同期して出力することができる。また制御手段は、記憶手段に格納したデータの画面数が所定数以上になると待機状態に戻るのでデータを出力する際に、そのデータが一画面の途中で中断することが防がれる。
【００１９】
さらに本発明に従えば、映像信号変換装置に映像信号が外部入力されると、映像信号処理手段によってその外部入力映像信号から同期信号と輝度信号とが分割されると共に、その分割された輝度信号がＡ／Ｄ変換手段によってデジタル信号に変換され、制御手段が映像信号処理手段によって分割された同期信号に同期してデジタル信号を記憶手段に格納する。そして、ファクシミリ本体よりイメージセンサーを駆動する駆動クロックが出力され、映像信号変換装置に外部入力されると、制御手段がその外部入力された駆動クロックに同期して記憶手段よりデジタル信号を読み出すと共に、その読み出したデジタル信号をＤ／Ａ変換手段によってアナログ信号に変換した後、外部出力手段によってファクシミリ本体に外部出力し、他方ファクシミリ本体において、映像信号変換装置より外部出力されたアナログ信号を二値化処理手段によって二値化処理することにより、テレビ及びビデオ等から得られる映像信号を変換して得られた画像データをファクシミリ信号としてファクシミリ送信及びコピー等を行うことができる。
【００２０】
さらに本発明に従えば、映像信号変換装置に映像信号が外部入力されると、映像信号処理手段によってその外部入力映像信号から同期信号と輝度信号とが分割されると共に、その分割された輝度信号がＡ／Ｄ変換手段によってデジタル信号に変換され、制御手段が映像信号処理手段によって分割された同期信号に同期してデジタル信号を記憶手段に格納する。そして、イメージセンサーが接続される接続部に映像信号変換装置を接続することにより、ファクシミリ本体より出力されるイメージセンサーの駆動クロックが映像信号変換装置に外部入力され、制御手段がその外部入力された駆動クロックに同期して記憶手段よりデジタル信号を読み出すと共に、その読み出したデジタル信号をＤ／Ａ変換手段によってアナログ信号に変換した後、外部出力手段によってファクシミリ本体に外部出力し、他方ファクシミリ本体において、映像信号変換装置より外部出力されたアナログ信号を二値化処理手段によって二値化処理することにより、テレビ及びビデオ等から得られる映像信号を変換して得られた画像データをファクシミリ信号としてファクシミリ送信及びコピー等を行うことができる。
【００２１】
【発明の実施の形態】
以下、本発明の実施の形態について図面を参照して詳細に説明する。
【００２２】
図１は本発明の一実施例である映像信号変換装置の電気的構成を示す概略機能ブロック図、図２は同映像信号変換装置の構成を示す説明図であり、（ａ）は装置本体の正面を、（ｂ）は装置本体の平面を、（ｃ）は装置本体の側面をそれぞれ示す。図３は同映像信号変換装置が接続可能なファクシミリ装置の電気的構成を示す概略機能ブロック図であり、（ａ）はイメージセンサーを装着した状態、（ｂ）はイメージセンサーに代えて映像信号変換装置を接続した状態を示す。図４は同ファクシミリ装置においてイメージセンサーを装着した状態を示す外観斜視図、図５は同ファクシミリ装置においてイメージセンサーを取り外した状態を示す外観斜視図である。図６は同ファクシミリ装置において映像信号変換装置を接続した状態を示す外観斜視図。
【００２３】
図７は同映像信号変換装置と他の装置との接続例を示す説明図であり、（ａ）は映像信号出力装置としてテレビを接続した場合、（ｂ）は映像信号出力装置としてビデオ、モニタ装置としてテレビを接続した場合、（ｃ）は映像信号出力装置としてビデオカメラ、モニタ装置としてテレビを接続した場合、（ｄ）は画像データ処理装置としてファクシミリ装置を接続すると共に、当該ファクシミリ装置と相手側ファクシミリ装置とを公衆電話回線網を介して接続した場合を示す。図８は同映像信号変換装置と他の装置との接続例を示す説明図であり、（ａ）は映像信号出力装置としてテレビ、画像データ処理装置としてファクシミリ装置を接続した場合、（ｂ）は映像信号出力装置としてビデオ、モニタ装置としてテレビ、画像データ処理装置としてファクシミリ装置を接続した場合、（ｃ）は映像信号出力装置としてビデオカメラ、モニタ装置としてテレビ、画像データ処理装置としてファクシミリ装置を接続した場合を示す。図９は同映像信号変換装置とファクシミリ装置とを接続する信号線の一覧を表す説明図である。
【００２４】
図１０は同映像信号変換装置における映像信号の取込動作を示すフローチャート、図１１は同映像信号変換装置における画像データの転送動作を示すフローチャート、図１２は同映像信号変換装置が接続されたファクシミリ装置におけるファクシミリ送信動作を示すフローチャートである。
【００２５】
図１３は本発明の他の実施例である映像信号変換装置の電気的構成を示す概略機能ブロック図である。
【００２６】
以下、本発明の一実施例について図１乃至図１２を参照して詳細に説明する。
【００２７】
図１乃至図６において、１はテレビ又はビデオ等からの映像信号としてのビデオ信号が入力されるビデオ信号入力部、２はビデオ信号入力部１に入力されたビデオ信号を外部に出力するモニタ信号出力部、３はビデオ信号入力部１に入力されたビデオ信号から垂直同期信号、水平同期信号及び輝度信号を分離するビデオ信号処理部、４はビデオ信号処理部３によって分離された輝度信号を１画素あたり８ビットのデジタル信号に変換するＡ／Ｄ変換部、５はＡ／Ｄ変換部４によってデジタル変換されたデータを格納するメモリ部であり、１Ｍビットの容量を持つＤＲＡＭ等によって構成されている。
【００２８】
６は取り込み映像の濃度を調整する濃度調整部、７はビデオ信号の取り込み指示を行う取込指示部、８はファクシミリ装置等から出力されるイメージセンサーの駆動クロックが転送クロックとして入力される転送クロック入力部、９は濃度調整部６による濃度調整に基づいてＡ／Ｄ変換部４の基準電圧を制御すると共に、取込指示部７からの取り込み指示に応答してＡ／Ｄ変換部４によってデジタル変換されたデータをビデオ信号処理部３によって分割された垂直同期信号及び水平同期信号に同期してメモリ部５に格納し、又転送クロック入力部８に入力された転送クロックに同期してメモリ部５に格納されたデータを読み出す制御部である。
【００２９】
１０は制御部９によってメモリ部５より読み出されたデータをアナログ信号に変換するＤ／Ａ変換部、１１はＤ／Ａ変換部９によってアナログ変換されたデータを外部に出力する信号出力部、１２は装置の電源状態及びメモリ部５のデータ格納状態等を表示する表示部、１３は装置本体のバックアップ用の電池、１４は電池１３を電源としてメモリ部５のデータバックアップを行う電源回路部であり、上記ビデオ信号入力部１、モニタ信号出力部２、ビデオ信号処理部３、Ａ／Ｄ変換部４、メモリ部５、濃度調整部６、取込指示部７、転送クロック入力部８、制御部９、Ｄ／Ａ変換部１０、信号出力部１１、表示部１２、電池１３、及び電源回路部１４によって映像信号変換装置が構成されている。
【００３０】
尚、映像信号変換装置は、図２に示すように、正面に、取り込み画像の濃度レベルを調整する濃度調整つまみ（濃度調整部６）と、画像の取り込み指示を行う取込ボタン（取込指示部７）と、電源のオン／オフ状態を表示する電源ＬＥＤ１２ａと、メモリ部５に取り込んでいる画像の画面数を表示するメモリＬＥＤ１２ｂとが設けられ、又平面に、ビデオ入力端子（ビデオ信号入力部１）と、モニタ出力端子（モニタ信号出力部２）と、ファクシミリ装置との接続を行うファクシミリ接続端子（転送クロック入力部８、信号出力部１１）とが設けられ、更に側面に、装置本体の電源のオン／オフを行う電源スイッチ１９が設けられている。前記電源ＬＥＤ１２ａとメモリＬＥＤ１２ｂとを含んで、表示部１２を構成する。
【００３１】
図３において、２１は図示しない原稿より画像データを読み取るイメージセンサーであり、ファクシミリ本体に対して所定の有線コードによって接続されると共に、ファクシミリ本体に対して着脱自在に設けられている。２２はイメージセンサー２１によって読み取る原稿の搬送制御を行う原稿搬送制御部、２３はイメージセンサー２１を駆動する駆動クロックを発生する駆動クロック発生部、２４はイメージセンサー２１によって読み取られた画像データを二値化処理する読取信号二値化処理部である。
【００３２】
２５は図示しない交換機を介して相手側電話機又は相手側ファクシミリ装置に接続される電話回線、２６は電話回線２５の捕捉／開放制御を行うと共に、捕捉した電話回線２５によって接続された相手側電話機又は相手側ファクシミリ装置との通話経路を形成する通信部であり、データ送受信を行う際に必要な変復調を行うモデムを備えている。
【００３３】
２７は読取信号二値化処理部２４によって二値化処理されたデータを圧縮する一方、通信部２６によって受信された相手側ファクシミリ装置からの画像データを伸長する圧縮伸長処理部、２８は圧縮伸長処理部２７によって伸長した画像データに基づく画像を所定の用紙に印刷する記録部、２９は相手側電話番号及び選択画像番号等の入力を行う数字キー、及びファクシミリ送信指示、ファクシミリ受信指示、コピー指示等を行う機能キー等からなる操作部、３０は操作部２９からの指示に基づいて各部を制御する主制御部であり、上記イメージセンサー２１、原稿搬送制御部２２、駆動クロック発生部２３、読取信号二値化処理部２４、通信部２６、圧縮伸長処理部２７、記録部２８、操作部２９、及び主制御部３０によってファクシミリ装置が構成されている。
【００３４】
そして、このように構成されたファクシミリ装置は、図４に示すように、イメージセンサー２１の装着状態においては、原稿を所定の位置にセットすることにより、そのセットされた原稿が原稿搬送制御部２２による搬送制御によって所定のスピードにより所定の位置に搬送され、イメージセンサー２１がその搬送される原稿より画像データを読み取り、読取信号二値化処理部２４がそのイメージセンサー２１によって読み取られた画像データを二値化処理することにより、原稿より読み取った画像データをファクシミリデータとすることができ、又図５に示すように、イメージセンサー２１をファクシミリ本体に対して取り外した状態においては、当該イメージセンサー２１によって原稿の上を走査することによって原稿より画像データを読み取り、その読み取った画像データを読取信号二値化処理部２４によって二値化処理することによってファクシミリデータとすることができる。
【００３５】
更に、図６に示すように、ファクシミリ装置を構成するイメージセンサー２１に代えて映像信号変換装置を所定の有線コードによってファクシミリ本体に接続すると、ファクシミリ装置を構成する駆動クロック発生部２３によって発生した駆動クロックは、転送クロックとして映像信号変換装置を構成する転送クロック入力部８に入力される一方、映像信号変換装置を構成する信号出力部１１から出力されるデータは、イメージセンサー２１によって読み取られた画像データとして読取信号二値化処理部２４に入力される。尚、このときの画像データの転送動作については後述する。
【００３６】
上記のように構成された映像信号変換装置において、図１０〜図１２を参照して、映像信号の取込動作について説明する。
尚、本実施例において、映像信号変換装置に入力される映像信号は、垂直同期信号の周期が６０分の１秒、水平同期信号の周期が約６３．５秒となるＮＴＳＣ方式のビデオ信号とするが、これに限定されるものではなく、例えばＰＡＬ方式ＳＥＣＡＭ方式等を用いるようにしても良い。
【００３７】
まず、映像信号を映像信号変換装置に入力するため、図７（ａ）に示すように、テレビに備えられているビデオ出力端子と、映像信号変換装置を構成するビデオ信号入力部１とを所定の有線コードによって接続するか、又は図７（ｂ）に示すように、ビデオに備えられているビデオ出力端子と、映像信号変換装置を構成するビデオ信号入力部１とを所定の有線コードによって接続すると共に、映像信号変換装置を構成するモニタ信号出力部２と、テレビに備えられているビデオ入力端子とを所定の有線コードによって接続するか、更には図７（ｃ）に示すように、ビデオカメラに備えられているビデオ出力端子と、映像信号変換装置を構成するビデオ信号入力部１とを所定の有線コードによって接続すると共に、映像信号変換装置を構成するモニタ信号出力部２と、テレビに備えられているビデオ入力端子とを所定の有線コードによって接続し、このような接続状態において、映像信号変換装置の電源をオンすると、それに伴って制御部９が表示部１２を制御して電源ＬＥＤ１２ａを緑色に点灯させる。
【００３８】
尚、電源ＬＥＤ１２ａは緑と赤の２色の切換発光が可能に構成されており、装置本体において内蔵する電池１３が消耗して所定の電圧値以下になったことが検出されたとき、その検出結果に基づいて電源ＬＥＤ１２ａを赤色に発光させることによって使用者に注意を促し、又映像信号変換装置とファクシミリ本体とが所定の有線によって接続されているときには、装置本体において内蔵する電池１３の消耗を防止するために、ファクシミリ本体側から電源が供給されるよう構成されており、このとき電源ＬＥＤ１２ａは赤色発光を行うことなく常時緑色発光を行う。
【００３９】
そして、常時映像信号を出力している映像信号出力装置と映像信号変換装置とが所定の有線コードによって接続され、且つ当該映像信号変換装置の電源がオンされた待機状態において、使用者がモニターを確認しつつ、所望の画像が表示されたとき、使用者が装置本体の上面に設けられた取込ボタンを操作する（ステップＦ１）と、その取込ボタンの操作に応答して取込指示部７より画像取込信号が出力されると共に、制御部９がその画像取込指示信号に応答してメモリ部５に格納している画像データの画面数が所定数（本実施例では４画面）以上であるか判断する（ステップＦ２）。
【００４０】
そして、このとき制御部９において、メモリ部５に格納している画像データの画面数が所定数未満であると判断される（ステップＦ２）と、制御部９がビデオ信号処理部３によって分離された垂直同期信号の検出を行い（ステップＦ３）、制御部９において垂直同期信号の検出が行われたとき、画像データのライン数を”０”に設定する（ステップＦ４）と共に、ビデオ信号処理部３によって分離された水平同期信号の検出を行う（ステップＦ５）。
【００４１】
そして、制御部９において水平同期信号の検出が行われたとき（ステップＦ５）、画像データのライン数に”１”をプラスする（ステップＦ６）と共に、その”１”をプラスしたライン数が所定数（本実施例では１１ライン）以上であるか判断し（ステップＦ７）、このときライン数が所定数以上であると判断されると、制御部９において再び画像データのライン数を”０”に設定する（ステップＦ８）と共に、ビデオ信号処理部３によって分離された水平同期信号の検出を行う（ステップＦ９）。
【００４２】
尚、垂直同期信号区間が終了してから実際に画像データの取込開始までに所定ライン数の遅延を設ける理由としては、画面の中央部の画像を取り込むと共に、垂直同期区間の前後でノイズが発生することを防止するためである。
【００４３】
そして、制御部９において水平同期信号の検出が行われる度に（ステップＦ９）１ライン分の画像データの取り込みを行い（ステップＦ１０）、合計２２０ライン分の画像データを取り込む。
【００４４】
この１ライン分の画像データの取り込みは、Ａ／Ｄ変換部４が基準電圧に基づいてアナログ信号である輝度信号を１画素あたり８ビットのデジタルデータに変換すると共に、制御部９が垂直同期信号と水平同期信号に基づいて格納先のメモリアドレスを順次発生し、このメモリアドレスによって指定されたメモリ部５の格納先にＡ／Ｄ変換部４によって変換されたデジタルデータを格納することによって垂直同期信号と水平同期信号に同期してＡ／Ｄ変換されたデジタルデータをメモリ部５に格納するものであり、Ａ／Ｄ変換部４のサンプリング周波数を６ＭＨｚ程度とすると、水平同期区間やその前後を除いて１水平走査線あたり約３００画素のデータを得ることができる。
【００４５】
尚、このような画像データの取り込み時においては、制御部９が濃度調整部６からの信号に基づいて濃度調整つまみの調整位置を認識し、その調整位置に基づいてＡ／Ｄ変換部４においてアナログ信号をデジタル信号に変換する際に用いる基準電圧を上下させることにより、映像信号の白黒レベル判定を調整することができるため、画像データの取り込み時において使用者の操作によって取込画像の濃度を任意に調整することができる。
【００４６】
又、２２０ライン分の画像データを取り込む理由としては、ＮＴＳＣ方式のビデオ信号の１フィールドが５２５／２＝２６２．５本の走査線からなるが、垂直同期信号区間として２０走査線分の時間があることから、実際の映像区間が残りの２４２．５走査線分であり、垂直同期区間の前後でノイズが発生することを防止するために、垂直同期区間とその前後の期間を除いた２２０本程度の水平走査線を有効な画像領域としてデータを取り込みメモリ部５に格納している。
【００４７】
そして、このような画像データの取り込みが２２０ライン分行われたとき（ステップＦ１１、Ｆ１２）、取込画面数に”１”をプラスし（ステップＦ１３）、待機状態に戻すと共に、取込画面数の表示を行う。
【００４８】
この取込画面数の表示は、制御部９が表示部１２を制御してメモリＬＥＤ１２ｂを点灯させることによって行われるものであり、メモリ部５内に１画面を取り込んでいない状態では常時消灯させ、１画面取り込んだ状態では、０．２秒ＯＮ／１．５秒ＯＦＦの点滅を繰返し、２画面取り込んだ状態では、０．２秒ＯＮ／０．４秒ＯＦＦ／０．２秒ＯＮ／１．５秒ＯＦＦの繰返し、３画面取り込んだ状態では、０．２秒ＯＮ／０４．秒ＯＦＦ／０．２秒ＯＮ／０．４秒ＯＦＦ／０．２秒ＯＮ／１．５ＯＦＦの繰返しを行い、又４画面取り込んでこれ以上メモリ部５内にデータを取り込めなくなると常時メモリＬＥＤ１２ｂを点灯させるものである。
【００４９】
尚、取込ボタンが操作されたときにおいて（ステップＦ１）、制御部９においてメモリ部５に格納している画像データの画面数が所定数以上であると判断される（ステップＦ２）と、待機状態に戻り、この待機状態において取消ボタン１８を操作する（ステップＦ１４）ことにより、最後に取り込んだ画像をメモリ部５から消去することができる（ステップＦ１５〜Ｆ１７）。即ち、画像データを３画面取り込んだ状態において取消ボタン１８を１回押圧すると、メモリ部５内の３画面目の画像データが消去され、２画面取り込んだ状態に戻り、又この２画面取り込んだ状態において取消ボタン１８を１回押圧すると、１画面取り込んだ状態に戻り、更に続けて取消ボタン１８を１回押圧すると、全ての画像データが消去される。又、このような画像データの取り消し動作時においても、メモリＬＥＤ１２ｂの点灯、点滅によって取込画面数の表示が行われる。
【００５０】
従って、上記動作制御によれば、使用者において所望の映像をメモリ部５に格納することができると共に、メモリ部５に格納した画像データの画面数を使用者において容易に確認することができる。
【００５１】
次に、上記動作制御によって、メモリ部５に格納された画像データに基づいてファクシミリ送信する際の動作制御について説明する。
【００５２】
まず、図６に示すように、イメージセンサー２１が接続されていた端子と、映像信号変換装置の平面に設けられたファクシミリ接続端子とをビデオ信号入力用の接続ケーブルによって接続することにより、図３（ｂ）に示すように、駆動クロック発生部２３から発生する駆動クロックを映像信号変換装置に入力すると共に、映像信号変換装置から出力される画像データを読取信号二値化処理部２４に供給する。
【００５３】
そして、このようにして映像信号変換装置とファクシミリ装置とをビデオ信号入力用の接続ケーブルによって接続すると、映像信号変換装置とファクシミリ装置とが図９に示すように「ＶＩＤＥＯ」、「φ１」、「φＴ」、「ＴｘＡ」、「ＲｘＡ」、「＋５Ｖ」、及び「ＧＮＤ」の信号線によって接続されることになり、このうち「φ１」と「φＴ」の信号線によってファクシミリ装置からの画素クロック信号とライン同期信号が映像信号変換装置に供給されると共に、「＋５Ｖ」と「ＧＮＤ」の信号線によってファクシミリ装置から映像信号変換装置に対して電源が供給され、又「ＶＩＤＥＯ」の信号線によって映像信号変換装置においてアナログ信号に変換されたビデオ信号がファクシミリ装置に供給され、更に「ＴｘＡ」と「ＲｘＡ」の信号線によってファクシミリ装置と映像信号変換装置の双方向にコマンド信号を送受信することができ、このコマンド信号は調歩同期方式のシリアル信号として送受信される。
【００５４】
尚、この信号線のうち、「ＴｘＡ」及び「ＲｘＡ」の信号線を除く他の信号線「ＶＩＤＥＯ」、「φ１」、「φＴ」、「＋５Ｖ」、及び「ＧＮＤ」はイメージセンサー接続時と同じものを使用することができ、又「＋５Ｖ」と「ＧＮＤ」の信号線によってファクシミリ装置から映像信号変換装置に対して電源が供給され、それに伴って映像信号変換装置に内蔵の電池１３からの電源供給を停止することにより、電池１３の消耗を防止している。
【００５５】
更に、「ＲｘＡ」の信号線をファクシミリ装置内において図示しない抵抗器を介してグランド（０Ｖ）に接続する一方、映像信号変換装置において「ＲｘＡ」の信号線にコマンド信号の送出中を除いてハイレベル（＋５Ｖ）の信号を出力することにより、ファクシミリ装置において、映像信号変換装置を接続していない状態における「ＲｘＡ」の信号線からの信号をグランドレベルとして検知すると共に、映像信号変換装置を接続したときにおける「ＲｘＡ」の信号線からの信号をハイレベルとして検知することができる。
【００５６】
そして、ファクシミリ装置の主制御部３０においては「ＲｘＡ」の信号線の信号レベルを一定の周期をもって常時監視し、その信号レベルがグランドレベルからハイレベルに変化したことを検知する（ステップＦ３１）と、映像信号変換装置が接続されたと判断して「ＴｘＡ」の信号線を通して確認コマンドを出力する（ステップＦ３２）。
【００５７】
そして、この「ＴｘＡ」の信号線を通して出力された確認コマンドが映像信号変換装置において受信される（ステップＦ２１）と、制御部９においてメモリ部５に取り込まれている画面数をパラメータとした応答コマンドを「ＲｘＡ」の信号線を通じて出力する（ステップＦ２２）。
【００５８】
そして、この「ＲｘＡ」の信号線を通じて出力された応答コマンドがファクシミリ装置において受信される（ステップＦ３３）ことにより、ファクシミリ装置の主制御部３０において映像信号変換装置の接続及び何画面の画像が取り込まれているを確認することができ、それに伴って確認された所定のデータを主制御部３０において取り込む（ステップＦ３４）と共に、読取信号二値化処理部２４におけるシェーディング補正を解除する（ステップＦ３５）。
【００５９】
尚、このシェーディング補正とは、基準原稿読取信号と比較して補正を行うことにより、イメージセンサー２１においてレンズで光学的に縮小して原稿を読み取ったとき、中央部に比べ周辺部の光量が少なくなり均一な出力が得られないといった問題点を解決するものであり、このようなシェーディング補正を映像信号変換装置を接続した場合において解除する理由としては、映像信号変換装置からの入力信号に出力不均一は無く、シェーディング補正を加えると逆に中央部に比べ左右の画像が明るくなってしまうためである。
【００６０】
このようにして、ファクシミリ装置に映像信号変換装置が接続され、且つファクシミリ装置の主制御部３０において所定のデータが取り込まれた後、使用者においてファクシミリ装置の操作部２９を操作して送信すべき画像を指定する（ステップＦ３６）と、主制御部３０がその指定された画像の画面番号を記憶する（ステップＦ３７）。
【００６１】
そして、使用者の操作によって送信すべき画像の指定を行った後、使用者における操作部２９の操作によって発呼操作を行う（ステップＦ３８）と、その発呼操作に応答して主制御部３０が通信部２６を制御し、電話回線２５の直流閉結を行うと共に、その直流閉結した電話回線２５に対して入力された電話番号をダイヤルパルス又はＤＴＭＦ信号によって送出する（ステップＦ３９）。
【００６２】
それに伴って、電話回線２５に接続された交換機がこれを検知して指定された相手を呼び出し、相手ファクシミリ装置が応答したとき電話回線２５を介して使用者ファクシミリ装置と相手ファクシミリ装置とを接続し、このようにして使用者ファクシミリ装置と相手ファクシミリ装置とが接続されると、相手ファクシミリ装置（受信側）からファクシミリ信号（ＣＥＤ−ＤＩＳ信号等）が送出され、このファクシミリ信号が使用者ファクシミリ装置（発呼側）の通信部２６に設けられた図示しないスピーカより音声信号として放音されることにより、使用者において相手と通信接続されたことを確認することができる（ステップＦ４０）。
【００６３】
そして、使用者において相手ファクシミリ装置との通信接続が成されたことが確認された後、操作部２９の操作によって通信開始指示操作を行う（ステップＦ４１）と、主制御部３０がその通信開始指示操作に基づいて送信画像データのライン数を”０”に設定する（ステップＦ４２）と共に、予め記憶した送信画面番号をパラメータで指定した転送開始コマンドを「ＴｘＡ」の信号線を通じて映像信号変換装置に出力する（ステップＦ４３）。
【００６４】
即ち、例えば、４画面の画像が取り込まれた映像信号変換装置をファクシミリ装置に接続したとき、前述の確認コマンドと応答コマンドとの送受信動作により、ファクシミリ装置において４画面の画像が有ることが認識され、このうち、ファクシミリ装置の操作部２９の操作によって２画面目と４画面目の画像を送信するよう指示されていると、ファクシミリ装置においては、通信開始指示操作に基づいて主制御部３０がまず２画面目をパラメータで指定した転送開始コマンドを映像信号変換装置に出力させ、又２画面目の画像がファクシミリ送信された後、４画面目をパラメータで指定した転送開始コマンドを映像信号変換装置に送信させる。
【００６５】
そして、「ＴｘＡ」の信号線を通じて転送開始コマンドを出力した後、所定時間が経過すると（ステップＦ４４）、主制御部３０が「φ１」と「φＴ」の信号線を通じて画素クロック及びライン同期信号を出力させる（ステップＦ４７、Ｆ４８）と共に、送信画像データのライン数に”１”をプラスし（ステップＦ４９）、この計数されるライン数が所定数に達するまで（ステップＦ５０）、画素クロック及びライン同期信号が出力される。
【００６６】
尚、映像信号変換装置においては、「φＴ」の信号線を通じて出力されるライン同期信号を検出し、これに同期してライン毎に画像信号転送を開始するようにしているため、画素クロックは「φ１」の信号線を通じて常時出力するようにしても良い。
【００６７】
一方、映像信号変換装置においては、「ＴｘＡ」の信号線を通じて出力された転送開始コマンドが受信される（ステップＦ２３）と、制御部９がその受信された転送開始コマンドに基づいて指定された画面番号を認識し、その認識された画面番号の画像データが取り込まれたメモリ部５のメモリ読出開始アドレスを設定する（ステップＦ２４）と共に、読出画像データのライン数を”０”に設定する（ステップＦ２５）。
【００６８】
そして、制御部９において「φＴ」の信号線を通じて出力されたライン同期信号を検出したとき（ステップＦ２６）、予め設定されたメモリ読出開始アドレスに従ってメモリ部５より１ライン分の画像データを読み出し、この読み出した１ライン分の画像データを「ＶＩＤＥＯ」の信号線を通じてファクシミリ装置に出力する（ステップＦ２６）と共に、読出画像データのライン数に”１”をプラスし（ステップＦ２７）、この計数されるライン数が所定数に達するまで（ステップＦ２８）、「φＴ」の信号線を通じて出力されるライン同期信号に基づいて１ライン分の画像データの出力を行う。
【００６９】
尚、このとき出力される画像データは、制御部９が予め設定されたメモリ読出開始アドレスに従ってメモリ部５より１ライン分の画像データを読み出し、この読み出した１ライン分の画像データをＤ／Ａ変換部１０によってアナログ信号に変換された後、信号出力部１１に送出されたものであり、所定のケーブルを介してファクシミリ装置の読取信号二値化処理部２４に入力される。
【００７０】
他方、ファクシミリ装置においては、「ＶＩＤＥＯ」の信号線を通じて出力された１ライン分の画像データを読取信号二値化処理部２４において二値化処理し、その後圧縮伸長処理部２７でＭＨ符号等のファクシミリ符号信号に変換し、その変換したファクシミリ符号信号を通信部２６を通じて電話回線２５上に送信することにより、ファクシミリ送信動作が行われる。
【００７１】
そして、このようなファクシミリ送信動作により、１画面分の画像データの送信が終了すると、主制御部３０において予め記憶された送信画面番号が有るか確認し（ステップＦ５１）、次画面が有ると判断されたとき、送信画像データのライン数を”０”に設定した後、その次画面の送信画面番号をパラメータで指定した転送開始コマンドを「ＴｘＡ」の信号線を通じて映像信号変換装置に出力する（ステップＦ４２、Ｆ４３）といった前述の動作を繰り返し、又次画面が無いと判断されたとき、主制御部３０が所定の通信プロトコルによって通信終了動作を行い（ステップＦ５２）、ファクシミリ送信動作を終了する。
【００７２】
ところで、ファクシミリ送信動作において、通常Ｇ３ファクシミリ通信と呼ばれるモードでは、複雑な画像ほど伝送時間が多くかかるという傾向があり、例えば、Ａ４幅で全白の走査線１本分、１７２８画素の画像をＩＴＵ−Ｔの勧告Ｔ４で規定された標準の一次元符号化方式で符号化すると、「０１００１１０１１００１１０１０１０００００００００００１」という２９ビットの符号データとなり、この符号データを９６００ビット／秒の伝送速度で送信すると、約３ミリ秒で伝送することができ、又白と黒が１画素毎に交互に現れる画像では、Ａ４幅の走査線１本分の符号データが７７８８ビットとなり、伝送に約８１１ミリ秒かかることとなる。
【００７３】
そのため、映像信号変換装置から転送される画像データをファクシミリ送信する場合において、映像信号変換装置に取り込まれた画像が白黒変化点の少ない簡単なものであれば、ファクシミリ符号の量は少なく、ビデオ信号変換装置から入力されてくる速度よりも速く送信することができるが、誤差拡散法等の疑似中間調モードで二値化処理すると白黒変化点が多くなり、１ラインあたりのファクシミリ符号量も多くなって送信に時間がかかり、送信バッファオーバーフローが発生するため、映像信号変換装置からの画像データの転送を一時中断する必要が有る。
【００７４】
そこで、ファクシミリ装置においては、主制御部３０において送信ファクシミリ符号の残量を監視し（ステップＦ４５）、その送信ファクシミリ符号の残量に基づいて画像データの入力を中断する必要が有ると判断した場合（ステップＦ４６）において、主制御部３０がライン同期信号を出力させないように制御する一方、映像信号変換装置においては、ファクシミリ装置から出力されるライン同期信号の検出に基づいて１ラインの画像転送を行っていることから、このライン同期信号が検出されない間は次のラインの画像転送を開始せず、それに伴って画像データの入力の中断を行うことができる。
【００７５】
尚、ライン同期信号の出力を一時休止して画像データ転送を中断させる代わりに、ファクシミリ装置に１画面分の画像データを記憶するメモリを設け、当該メモリに画像データ転送されたデータを格納させることにより、画像データ転送を中断無く実行させることによっても送信バッファオーバーフローを防止することができる。
【００７６】
従って、上記動作制御によれば、使用者において所望の映像をメモリ部５に格納した映像信号変換装置をファクシミリ装置に接続し、所定の発呼操作を行うことによって、映像信号変換装置のメモリ部５に格納した映像に基づく画像データをファクシミリデータに変換して相手ファクシミリ装置に送信することができ、又このとき、ファクシミリデータに変換する装置部分として従来からあるものを用い、且つイメージセンサー２１によって読み取られた画像データをファクシミリデータに変換する装置部分と共通にすることができる。
【００７７】
尚、映像信号変換装置によって取り込まれた画像を相手ファクシミリ装置に送信するとき、各送信ページ毎に、主制御部３０が内蔵する時計からその時の日付時刻情報を読み出して送信ページ番号とともに文字パターンに変換し、入力ビデオ信号を二値化した画像データに付加してファクシミリ符号化して送信することにより、通常ファクシミリ装置において原稿読取画像の上部に付加される発信日時と発信者名等を示すための発信元情報を、映像信号変換装置によって取り込まれた画像の送信時に付加するようにしても良い。
【００７８】
次に、上記動作制御によって、メモリ部５に格納された画像データに基づいてコピーを行う際の動作制御について説明する。
【００７９】
前述のファクシミリ送信動作時と同様にして、映像信号変換装置とファクシミリ装置とをビデオ信号入力用の接続ケーブルによって接続した後、ファクシミリ装置においてコピーしたい画面の画面番号を指定すると共に、コピー出力操作をすると、ファクシミリ装置より指定された画面番号をパラメータで指定した転送開始コマンドが出力されると共に、画素クロック及びライン同期信号が出力される。
【００８０】
一方、映像信号変換装置においてそのライン同期信号が検出されると、映像信号変換装置の制御部９がメモリ部５より転送開始コマンドで指定された画面番号の読出開始アドレスに基づいて１ライン分の画像データを読み出し、その読み出した１ライン分の画像データをＤ／Ａ変換部１０によってアナログ信号に変換し、信号出力部１１を介してファクシミリ装置の読取信号二値化処理部２４に出力する。
【００８１】
そして、ファクシミリ装置では、読取信号二値化処理部２４によって二値化処理されたデータを圧縮伸長処理部２７を介して記録部２８に送出し、記録部２８がその入力データに基づく画像を所定の用紙にプリントアウトする。
【００８２】
尚、このプリントアウト時、記録出力の速度は一定であり、プリントアウトの途中でライン同期信号を中断して転送を止めるといった制御を行う必要は無い。ところが、このような転送の中断・再開の制御はファクシミリ装置が行うため、映像信号変換装置においては送信／コピーを識別する必要は無く、ファクシミリ装置から送られてくるコマンドと同期信号にしたがって画像データを出力すれば良い。
【００８３】
従って、上記動作制御によれば、使用者において所望の映像をメモリ部５に格納した映像信号変換装置をファクシミリ装置に接続し、所定のコピー操作を行うことによって、映像信号変換装置のメモリ部５に格納した映像に基づく画像データを所定の用紙にプリントアウトすることができ、又このとき、コピーデータに変換する装置部分として従来からあるものを用い、且つイメージセンサー２１によって読み取られた画像データをコピーデータに変換する装置部分と共通にすることができる。
【００８４】
尚、このようなコピー動作時においても、前述のファクシミリ送信動作時と同様に、主制御部３０が内蔵する時計からその時の日付時刻情報を読み出して送信ページ番号とともに文字パターンに変換し、入力ビデオ信号を二値化した画像データに付加してプリントアウトすることにより、プリントアウトされた用紙の整理を確実に行わせることができる。
【００８５】
又、このようなコピー動作を映像信号取込動作、又はファクシミリ送信動作に組み込むようにしても良い。
即ち、コピー動作を映像信号取込動作に組み込んだ場合としては、映像信号出力装置が所定の有線コードによって接続された映像信号変換装置をビデオ信号入力用の接続コードによってファクシミリ装置に接続した状態において、映像信号変換装置において映像信号出力装置からの映像信号を取り込みが完了したとき、映像信号変換装置からファクシミリ装置に対して新たな取込画面数をパラメータとした応答コマンドを送り、ファクシミリ装置においてその応答コマンドを受信して新たな画像が取り込まれたことを認識したとき、その新たに取り込まれた画像をコピー出力するように制御を行うようにすれば良い。
【００８６】
又、コピー動作をファクシミリ送信動作に組み込んだ場合としては、コピーで映像信号変換装置に取り込まれている画像を確認した後、送信画面番号（コピー画面番号）を変更することなく、電話をかけ送信開始指示操作をすることにより、コピー出力と同じ画像が同じ順番で送信させることができる。尚、同じ画像を複数の相手に送る場合も同様に、送信画面番号を変更することなく順次送信操作をするようにすれば良い。
【００８７】
次に、本発明の他の実施例について、図１３に基づいて詳細に説明する。尚、図１３において図１と共通する部分には、共通の符号を付してある。
【００８８】
３１はＡ／Ｄ変換部４によってデジタル変換されたデータをＤＰＣＭ方式等により圧縮すると共に、メモリ部５より読み出された圧縮データを伸長する圧縮伸長処理部、３２は圧縮伸長処理部３１によって伸長されたデータ画像拡大処理する拡大処理部である。
【００８９】
上記のように構成された映像信号変換装置における映像信号の取込動作について説明する。
映像信号を出力している映像信号出力装置と、電源がオンされた映像信号変換装置との接続によって、映像信号変換装置が待機状態にあるとき、使用者が装置本体の上面に設けられた取込指示ボタンを操作すると、その取込指示ボタンの操作に応答して取込指示部７より画像取込信号が出力されると共に、制御部９がその画像取込指示信号に応答してメモリ部５に格納している画像データの画面数が所定数（本実施例では４画面）以上であるか判断する。
【００９０】
そして、このときメモリ部５に格納している画像データの画面数が所定数以下であると判断されると、制御部９がビデオ信号処理部３によって分離された垂直同期信号が検出された後、ビデオ信号処理部３によって分離された水平同期信号の検出を行い、その後制御部９において水平同期信号の検出が１１回行われた後、制御部９において水平同期信号の検出が行われる度に１ライン分の画像データの取り込みを行い、合計２２０ライン分の画像データを取り込む。
【００９１】
この１ラインの画像データの取り込みは、Ａ／Ｄ変換部４においてアナログ信号である輝度信号を１画素あたり８ビットのデジタルデータに変換した後、その８ビットのデジタルデータをデータ圧縮伸長部３１によって４ビットのデジタルデータに圧縮すると共に、制御部９が垂直同期信号と水平同期信号に基づいて格納先のメモリアドレスを順次発生し、このメモリアドレスによって指定されたメモリ部５の格納先にデータ圧縮伸長部３１によって圧縮したデジタルデータを格納することによって垂直同期信号と水平同期信号に同期してデジタルデータをメモリ部５に格納するものである。
【００９２】
従って、上記動作制御によれば、使用者において所望の映像をメモリ部５に格納することができると共に、メモリ部５に格納する画像データのデータ量を抑制することができる。
【００９３】
尚、上記動作制御によってメモリ部５に格納された画像データに基づいてファクシミリ送信する際の動作制御及びコピー動作する際の動作制御については上記実施例と同様であり、異なる点としては、映像信号変換装置からファクシミリ装置に転送する画像データの処理動作、及び映像信号変換装置において転送する画像データのライン数と、ファクシミリ装置において送信する画像データのライン数であり、以下この点について説明する。
【００９４】
上記実施例と同様にして映像信号変換装置とファクシミリ装置とがビデオ信号入力用の接続ケーブルによって接続され、送信又はコピーしたい画面の画面番号が指定された後、送信又はコピー開始指示が成され、ファクシミリ装置より指定された画面番号をパラメータで指定した転送開始コマンドが出力されると共に、画素クロック及びライン同期信号が出力されている状態において、映像信号変換装置においてそのライン同期信号が検出されると、映像信号変換装置の制御部９がメモリ部５より転送開始コマンドで指定された画面番号の読出開始アドレスに基づいて１ライン分の画像データを読み出し、その読み出した１ライン分の画像データを圧縮伸長処理部３１によって元のデータに伸長した後、拡大処理部３２によって画像拡大処理を施すと共に、その画像拡大処理を施したデータをＤ／Ａ変換部１０によってアナログ信号に変換し、信号出力部１１を介してファクシミリ装置の読取信号二値化処理部２４に出力する。
【００９５】
尚、データ転送する際において画像拡大処理を施す理由としては、映像信号変換装置を構成するメモリ部５に格納される画像の画素数が水平方向３００画素程度、垂直方向２２０画素程度であり、これを１対１でファクシミリ信号に変換してファインモードと呼ばれる解像度で送信したり、プリントアウトすると、画像サイズが３７．５ｍｍ×２８．６ｍｍ程度と非常に小さく見にくくなるためであり、画像拡大処理の方法としては、元のデータを水平・垂直方向それぞれ単純に複数回繰り返したり、投影法を用いて近傍の４つのデータから演算により出力データを作成するようにすれば良く、又映像信号変換装置において拡大処理を施すことなくファクシミリ装置に１対１で出力し、ファクシミリ装置側において拡大処理を施すようにしても良い。
【００９６】
そして、ファクシミリ装置では、読取信号二値化処理部２４によって二値化処理されたデータを圧縮伸長処理部２７によってＭＨ符号等のファクシミリデータに変換して電話回線２５において送信、又は記録部２８においてプリントアウトする。
【００９７】
尚、このとき、送信又はプリントアウトされる画像データのライン数は、映像信号変換装置の画像拡大部３２又はファクシミリ装置側における拡大処理によって左右し、それに伴って、ファクシミリ装置から映像信号変換装置に出力されるライン同期信号、及び映像信号変換装置からファクシミリ装置に出力される画像データの転送回数が異なる。
【００９８】
従って、上記動作制御によれば、メモリ部５に格納する画像データのデータ量を抑制するために圧縮されて格納された画像データを圧縮前の画像データとして出力することができると共に、転送画像データを用いてファクシミリ送信又はプリントアウトしたとき、その画像サイズを適切に設定することができる。
【００９９】
尚、本実施例においては、映像信号変換装置と映像信号出力装置とを所定の有線コードによって接続し、映像信号出力装置から得られた映像信号を所定の画像データとして映像信号変換装置を構成するメモリ部５に格納した後、映像信号変換装置と画像データ処理装置（本実施例ではファクシミリ装置）とを接続し、画像データ処理装置からの転送クロックに応答して映像信号変換装置を構成するメモリ部５からのデータを出力し、画像データ処理装置に入力する構成としたが、これに限定するものではなく、例えば図８に示すように、映像信号変換装置に、映像信号出力装置と画像データ処理装置とを所定の有線コードによって接続し、画像データの転送を行うようにしても良く、又画像データ処理装置内に映像信号変換装置を組み込むように構成しても良い。
【０１００】
【発明の効果】
以上のように、本発明によれば、外部入力された映像信号を取り込むと共に、その取り込んだ映像信号を任意の転送クロックに同期して出力することにより、その取り込んだ映像信号を使用する画像データ処理装置に合わせて画像データを転送させることができるため、それぞれデータ処理速度が異なる複数の画像データ処理装置に対して映像信号を転送させることができると共に、以前から備わった画像処理回路部分を使用することができる。また制御手段は、記憶手段に格納したデータの画面数が所定数以上になると待機状態に戻るのでデータを出力する際に、そのデータが一画面の途中で中断することが防がれる。
【０１０１】
また本発明によれば、外部入力された映像信号を取り込むと共に、その取り込んだ映像信号をイメージセンサーの駆動クロックに同期して出力することにより、イメージセンサーによって読み取られた画像を処理する画像データ処理装置において処理回路を増加させることなく、その取り込んだ映像信号を処理させることができるため、画像データ処理装置における回路規模の増大及びコストアップを招くことなく、映像信号の処理を行わせることができる。
【０１０２】
さらに本発明によれば、外部入力された映像信号を取り込むと共に、その取り込んだ映像信号を任意の転送クロックに同期して出力するときにおいて、転送クロックが休止したとき、画像データの転送を一時的に休止することにより、出力画像データ処理装置における処理速度に応じて画像データの転送を行わせることができるため、画像データ処理装置におけるオーバーフローを防止することができる。
【０１０３】
さらに本発明によれば、使用者における操作に基づいて外部入力された映像信号を取り込むことにより、使用者において指定する任意の映像信号を確実に取り込むことができるため、映像信号の取り込みミス等を防止することができる。
【０１０４】
さらに本発明によれば、外部入力された映像信号を取り込むと共に、その取り込んだ映像信号を任意の転送クロックに同期して出力するとき、拡大処理を施すことにより、その取り込んだ映像信号を使用する画像データ処理装置に合わせて画像の大きさを調整することができため、それぞれ画面又は印刷の解像度が異なる複数の画像データ処理装置に対してその映し出す画像の大きさを適切に設定することができる。
【０１０５】
さらに本発明によれば、外部入力された映像信号を圧縮して取り込むと共に、その取り込んだ映像信号を任意の転送クロックに同期して映像信号を伸長して出力することにより、出力する映像信号を変化させることなく、取り込む映像信号の容量を少なくすることができるため、より多くの映像信号を取り込むことができると共に、映像信号を取り込むメモリの容量を小さくすることでき、それに伴ってコストダウンに寄与することができる。
【０１０６】
さらに本発明によれば、イメージセンサーによって読み取られた画像データを二値化処理する二値化処理部を利用して映像信号変換装置から出力された映像信号を二値化処理することができるため、映像信号を処理するための回路を別途設けることなく、映像信号に基づく画像を送信又はコピーすることができるため、ファクシミリ装置における回路規模の増大及びコストアップを招くことなく、映像信号の送信又はコピーを行わせることができる。また制御手段は、記憶手段に格納したデータの画面数が所定数以上になると待機状態に戻るのでデータを出力する際に、そのデータが一画面の途中で中断することが防がれる。
【０１０７】
さらに本発明によれば、イメージセンサーの接続部と映像信号変換部の接続部とを共通にすることにより、ファクシミリ装置における省スペース化を図ることができるため、デザイン性の向上に寄与することができる。
【図面の簡単な説明】
【図１】  本発明の一実施例である映像信号変換装置の電気的構成を示す概略機能ブロック図である。
【図２】  同映像信号変換装置の構成を示す説明図である。
【図３】  同映像信号変換装置が接続可能なファクシミリ装置の電気的構成を示す概略機能ブロック図である。
【図４】  同ファクシミリ装置においてイメージセンサーを装着した状態の構成を示す外観斜視図である。
【図５】  同ファクシミリ装置においてイメージセンサーを取り外した状態の構成を示す外観斜視図である。
【図６】  同ファクシミリ装置において同映像信号変換装置を接続した状態の構成を示す外観斜視図である。
【図７】  同映像信号変換装置と他の装置との接続例を示す説明図である。
【図８】  同映像信号変換装置と他の装置との接続例を示す説明図である。
【図９】  同映像信号変換装置とファクシミリ装置とを接続する信号線の一覧を表す説明図である。
【図１０】  同映像信号変換装置における映像信号の取込動作を示すフローチャートである。
【図１１】  同映像信号変換装置における画像データの転送動作を示すフローチャートである。
【図１２】  同映像信号変換装置が接続されたファクシミリ装置におけるファクシミリ送信動作を示すフローチャートである。
【図１３】  本発明の他の実施例である映像信号変換装置の電気的構成を示す概略機能ブロック図である。
【図１４】  従来例であるファクシミリ装置の電気的構成を示す概略機能ブロック図である。
【符号の説明】
１  ビデオ信号入力部
２  モニタ信号出力部
３  ビデオ信号処理部
４  Ａ／Ｄ変換部
５  メモリ部
６  濃度調整部
７  取込指示部
８  転送クロック入力部
９  制御部
１０  Ｄ／Ａ変換部
１１  信号出力部
２１  イメージセンサー
２３  駆動クロック発生部
２４  二値化処理部
２６  通信部
２７  圧縮伸長処理部
２８  記録部
２９  操作部
３０  主制御部
【図１】
0003878233.tif 000002
【図２】
0003878233.tif 000003
【図３】
0003878233.tif 000004
【図４】
0003878233.tif 000005
【図５】
0003878233.tif 000006
【図６】
0003878233.tif 000007
【図７】
0003878233.tif 000008
【図８】
0003878233.tif 000009
【図９】
0003878233.tif 000010
【図１０】
0003878233.tif 000011
【図１１】
0003878233.tif 000012
【図１２】
0003878233.tif 000013
【図１３】
0003878233.tif 000014
【図１４】
0003878233.tif 000015